(57)【要約】【課題】重量物を収納することができ、蓋の開閉、内容物の収納、取り出しが容易な紙箱を提案するもの。【解決手段】１枚のブランクシートを罫線に沿って折り曲げて形成される紙箱であって、本体と蓋体を有し、本体は、本体底面板と本体正面板と本体天面板と本体左側面板と本体右側面板を有し、蓋体は、蓋正面板と蓋天面板と蓋左側面板と蓋右側面板と把手を有し、本体底面板からは、折罫線を介して本体正面板が連設されると伴に、蓋開閉ヒンジを介して蓋正面板が連設されており、本体左右側面板は、台形形状であり、台形の斜辺は本体の開口部を形成しており、該斜辺には折罫線を介して本体左右側面折込板が連設されており、本体底面板から折罫線を介して連設された本体左右側面下補強板と、本体天面板から折罫線を介して連設された本体左右側面上補強板とが、互いに係合して、本体左右側面折込板と伴に本体を補強していることを特徴とする紙箱である。【選択図】図３
2017186037.tif 000002
【特許請求の範囲】
【請求項１】
１枚のブランクシートを罫線に沿って折り曲げて形成される紙箱であって、本体と蓋体を有し、本体は、本体底面板と本体正面板と本体天面板と本体左側面板と本体右側面板を有し、蓋体は、蓋正面板と蓋天面板と蓋左側面板と蓋右側面板と把手を有し、
本体底面板からは、折罫線を介して本体正面板が連設されると伴に、蓋開閉ヒンジを介して前記蓋正面板が連設されており、
本体正面板からは、折罫線を介して本体天面板と本体左右側面板が連設され、
本体左右側面板は、下底が長く上底が短い台形形状であり、台形の斜辺は本体の開口部を形成しており、該斜辺には折罫線を介して本体左右側面折込板が連設されており、
本体底面板から折罫線を介して連設された本体左右側面下補強板と、本体天面板から折罫線を介して連設された本体左右側面上補強板とが、互いに係合して、前記本体左右側面折込板と伴に本体を補強しており、
一方前記蓋体は、蓋正面板から折罫線を介して蓋天面板と蓋左右側面板とが連設されており、
蓋天面板からは、折罫線を介して蓋天面折込板が連設され、蓋左右側面板からは、折罫線を介して蓋天面左右折込板が連設され、これら３枚の折込板によって蓋体は補強されており、
蓋体は、蓋天面板から折罫線を介して連設された蓋ロック１ならびに、本体正面板から折罫線を介して連設された蓋ロック２によって、閉じた状態で本体に固定され、
蓋天面折込板に設けた把手取付孔に取り付けた把手を蓋天面板に設けた把手孔から引き出して紙箱を持ち運べるようにしたことを特徴とする紙箱。
【請求項２】
蓋体を開いた状態で、前記蓋左右側面板の本体に対向する角が斜めに切断されていることを特徴とする請求項１に記載の紙箱。
【発明の詳細な説明】
【技術分野】
【０００１】
本発明は、紙箱に関し、特に１枚のブランクを罫線に沿って折畳むことによって形成される紙箱であって、重量のある物品の収納、取り出しが容易で、持ち運びにも便利な紙箱に関する。
【背景技術】
【０００２】
従来、厚紙のブランクシートを罫線に沿って折り曲げて形成される紙箱については、さまざまな形状や構造のものが提案されている。持ち運びの利便性を考慮して、把手を付けた紙箱も種々提案されている。特許文献１に記載されたテイクアウト用の紙箱は、果物や洋菓子のテイクアウト用の紙箱である。
【０００３】
特許文献１に記載された紙箱は、曲線状の折罫線を用いて、曲面を実現したことにより、デザイン的に優れており、展示効果も良好であるが、用途面から、重量物を収納することを前提としていないため、構造上、重量物を収納することはできなかった。また、この紙箱は、蓋を何度も開閉して、内容物を入れたり出したりする操作を前提としておらず、これらの操作における利便性も考慮されていない。
【０００４】
一方、近年、海外からの旅行者などが、大量の買い物をする傾向が見られ、購入した品物を収納して持ち運ぶための箱が要望されている。このような用途に使用する箱としては、ある程度の重量物に耐えることができ、しかも何度も開閉して品物を次々と収納したり、入れ直したりすることが容易にできる事が要求されている。
【先行技術文献】
【特許文献】
【０００５】
【特許文献１】実願平５−１４８３４号公報
【発明の概要】
【発明が解決しようとする課題】
【０００６】
本発明の解決しようとする課題は、人が片手で持てる程度の重量物を収納することができ、なおかつ蓋の開閉が容易であり、内容物の収納、取り出しも容易な紙箱を提案するものである。
【課題を解決するための手段】
【０００７】
上記の課題を解決するための手段として、請求項１に記載の発明は、１枚のブランクシートを罫線に沿って折り曲げて形成される紙箱であって、本体と蓋体を有し、本体は、本体底面板と本体正面板と本体天面板と本体左側面板と本体右側面板を有し、蓋体は、蓋正面板と蓋天面板と蓋左側面板と蓋右側面板と把手を有し、本体底面板からは、折罫線を介して本体正面板が連設されると伴に、蓋開閉ヒンジを介して前記蓋正面板が連設されており、本体正面板からは、折罫線を介して本体天面板と本体左右側面板が連設され、本体左右側面板は、下底が長く上底が短い台形形状であり、台形の斜辺は本体の開口部を形成しており、該斜辺には折罫線を介して本体左右側面折込板が連設されており、本体底面板から折罫線を介して連設された本体左右側面下補強板と、本体天面板から折罫線を介して連設された本体左右側面上補強板とが、互いに係合して、前記本体左右側面折込板と伴に本体を補強しており、一方前記蓋体は、蓋正面板から折罫線を介して蓋天面板と蓋左右側面板とが連設されており、蓋天面板からは、折罫線を介して蓋天面折込板が連設され、蓋左右側面板からは、折罫線を介して蓋天面左右折込板が連設され、これら３枚の折込板によって蓋体は補強されており、蓋体は、蓋天面板から折罫線を介して連設された蓋ロック１ならびに、本体正面板から折罫線を介して連設された蓋ロック２によって、閉じた状態で本体に固定され、蓋天面折込板に設けた把手取付孔に取り付けた把手を蓋天面板に設けた把手孔から引き出して紙箱を持ち運べるようにしたことを特徴とする紙箱である。
【０００８】
本発明に係る紙箱は、１枚のブランクを罫線に沿って折畳むだけで組み立てることができ、接着剤等を使用する必要がない。
【０００９】
また、請求項２に記載の発明は、蓋体を開いた状態で、前記蓋左右側面板の本体に対向する角が斜めに切断されていることを特徴とする請求項１に記載の紙箱である。
【発明の効果】
【００１０】
本発明に係る紙箱は、本体側面板が台形形状であり、本体天面板の巾が本体底面板の巾よりも狭くなっているため、蓋体を開いた時に、本体の開口部が垂直ではなく斜めに開くため、物品の出し入れがし易い。
【００１１】
また、蓋体は、本体底面板から蓋開閉ヒンジによって連設されているため、蓋が大きく開き、この点でも物品の出し入れを容易ならしめている。
【００１２】
本体の側面は、互いに係合する側面上補強板と側面下補強板とによって上下方向の引張強度が確保され、さらに側面板と側面折込板によって補強されているため、本体全体の剛性や強度が高く、重量物を収納することを可能としている。
【００１３】
蓋体も、天面を蓋天面板と蓋天面折込板の完全二重構造とし、さらに蓋天面折込板を付加しているため、蓋体全体の剛性、強度が確保されており、この点においても、重量物を収納して持ち運ぶことを可能ならしめている。
【００１４】
また請求項２に記載の発明のように、蓋体を開いた状態で、蓋左右側面板の本体に対向する角が斜めに切断されている場合には、蓋体の開閉がし易くなると伴に、蓋体を開いた時に、箱の開口部が大きく開くため、物品の収納、取出しがさらにし易くなる。
【図面の簡単な説明】
【００１５】
【図１】図１は、本発明に係る紙箱の一実施態様を示した斜視模式図である。
【図２】図２は、本発明に係る紙箱の他の実施態様を示した斜視模式図である。
【図３】図３は、図２に示した紙箱の蓋体を開いた状態を示した斜視模式図である。
【図４】図４は、図２、３に示した紙箱のブランクを示した平面説明図である。
【発明を実施するための形態】
【００１６】
以下、図面を参照しながら、本発明に係る紙箱について詳細に説明する。
図１は、本発明に係る紙箱の一実施態様を示した斜視模式図である。また、図２は、本発明に係る紙箱の他の実施態様を示した斜視模式図である。また、図３は、図２に示した紙箱の蓋体を開いた状態を示した斜視模式図である。また、図４は、図２、３に示した紙箱のブランクを示した平面説明図である。以下主に図３、図４を参照しながら説明する。
【００１７】
本発明に係る紙箱１は、図３、４に示したように、１枚のブランクシート２を罫線に沿って折り曲げて形成される紙箱であって、本体１Ｈと蓋体１Ｆを有し、本体１Ｈは、本体底面板３と本体正面板４と本体天面板５と本体左側面板６と本体右側面板１０を有する。
【００１８】
蓋体１Ｆは、蓋正面板１４と蓋天面板１５と蓋左側面板１９と蓋右側面板２０と把手２８を有する。把手２８としては、熱可塑性樹脂を成形した合成樹脂製の把手や、紐などを用いることができる。
【００１９】
本体底面板３からは、折罫線ａを介して本体正面板４が連設されると伴に、蓋開閉ヒンジ２７を介して蓋正面板１４が連設されている。蓋開閉ヒンジ２７は、多数回の開閉に適するように、２重罫線とするのが良い。
【００２０】
本体正面板４からは、折罫線ｄ１、ｄ２を介して本体天面板５が連設され、折罫線ｅを介して本体左側面板６が連設され、折罫線ｆを介して本体右側面板１０が連設されている。
【００２１】
本体左右側面板６、１０は、下底が長く上底が短い台形形状であり、台形の斜辺は本体の開口部を形成しており、斜辺には折罫線ｇ、ｈを介して本体左右側面折込板７、１１が連設されている。折罫線ｇ、ｈは、１８０°の折り曲げを必要とするため、２重罫線とする。
【００２２】
本体底面板３から折罫線ｂ、ｃを介して連設された本体左右側面下補強板９、１３と、本体天面板５から折罫線ｉ、ｊを介して連設された本体左右側面上補強板８、１２とは、左右それぞれの上下補強板が互いに係合して、本体左右側面折込板７、１１と伴に本体側面ならびに本体全体を補強している。
【００２３】
なお本体正面板４に設けた本体左右側面折込板固定用突起係止孔７ｈ、１１ｈは、それぞれ本体左右側面折込板７、１１に設けられた本体左右側面折込板固定用突起７ｔ、１１ｔがそれぞれ嵌合して、折り込んだ本体左右側面折込板７、１１が固定されて外れないようにするためのものである。
【００２４】
蓋体１Ｆには、蓋正面板１４から折罫線ｏを介して蓋天面板１５が連設されており、折罫線ｋ、ｌを介して蓋左右側面板１９、２０が連設されている。
【００２５】
蓋天面板１５からは、折罫線ｐ１、ｐ２を介して蓋天面折込板１６が連設され、蓋左右側面板１９、２０からは、それぞれ折罫線ｍ、ｎを介して蓋天面左右折込板１７、１８が連設され、これら３枚の折込板によって蓋体は補強されている。折罫線ｐ１、ｐ２は、１８０°の折り曲げに適するように、２重罫線とするのが良い。
【００２６】
蓋体１Ｆは、蓋天面板１５、ならびに蓋天面折込板１６に設けた蓋ロック１切込線２３によって切り出され、蓋天面板１５から折罫線ｑを介して連設された蓋ロック１（２４）と、本体正面板４、ならびに本体天面板５に設けた蓋ロック２切込線２５によって切り出され、本体正面板４から折罫線ｒを介して連設された蓋ロック２（２６）とによって、蓋体を閉じた状態で本体に固定される。
【００２７】
蓋ロック１（２４）は、折罫線ｑを介して蓋天面板１５から連設されており、中央部に折罫線ｑ１、ｑ２を有するので、本体天面板５に設けられた蓋ロック１差込用切込み２４ｓに差し込み易くなっている。
【００２８】
また、蓋ロック２（２６）も同様に、折罫線ｒを介して本体正面板４から連設されており、中央部に折罫線ｒ１を有するので、蓋ロック１（２４）に設けた蓋ロック２差込孔２６ｓに差し込み易くなっている。
【００２９】
蓋天面折込板１６に設けた把手取付孔２２に取り付けた把手２８を蓋天面板１５に設けた把手孔２１から引き出すことにより、紙箱１を持ち運ぶことができる。
【００３０】
図２〜４に示した実施例では、  図３に見られるように、蓋体１Ｆを開いた状態で、蓋左右側面板１９、２０の本体１Ｈに対向する角が斜めに切断されている。このようにすることにより、蓋体の開閉がより円滑になると伴に、紙箱を開いた時に、物品の出し入れがし易くなる。
【００３１】
本発明に係る紙箱は、材料として強度の高い段ボール紙を用いることにより、少なくとも人が片手で持ち運べる程度の重量の物品を収納することが十分可能であり、蓋の開閉が容易で、物品の出し入れも円滑に行えるので、店舗において、商品を購入した顧客に提供するショッピングバッグとして好適に用いられるものである。
【符号の説明】
【００３２】
１・・・紙箱    １Ｈ・・・本体    １Ｆ・・・蓋体
２・・・ブランクシート
３・・・本体底面板
４・・・本体正面板
５・・・本体天面板
６・・・本体左側面板
７・・・本体左側面折込板    ７ｔ・・・本体左側面折込板固定用突起
７ｈ・・・本体左側面折込板固定用突起係止孔
８・・・本体左側面上補強板
９・・・本体左側面下補強板
１０・・・本体右側面板
１１・・・本体右側面折込板    １１ｔ・・・本体右側面折込板固定用突起
１１ｈ・・・本体右側面折込板固定用突起係止孔
１２・・・本体右側面上補強板
１３・・・本体右側面下補強板
１４・・・蓋正面板
１５・・・蓋天面板
１６・・・蓋天面折込板
１７・・・蓋天面左折込板
１８・・・蓋天面右折込板
１９・・・蓋左側面板
２０・・・蓋右側面板
２１・・・把手孔
２２・・・把手取付孔
２３・・・蓋ロック１切込線
２４・・・蓋ロック１      ２４ｓ・・・蓋ロック１差込用切込み
２５・・・蓋ロック２切込線
２６・・・蓋ロック２      ２６ｓ・・・蓋ロック２差込孔
２７・・・蓋開閉ヒンジ
２８・・・把手
ａ〜ｒ・・・折罫線
【図１】
2017186037.tif 000003
【図２】
2017186037.tif 000004
【図３】
2017186037.tif 000005
【図４】
2017186037.tif 000006